(57)【要約】【課題】簡易な構成で運搬が可能となる平面ディスプレイ装置を提供する。【解決手段】ディスプレイ装置１に、接続端子部１２Ａを備えた端子面１２を床面に略対向する状態に設けている。この端子面１２の両端部に一対の取手部１３を設けている。端子面１２は、取手部１３を持ち上げる方向に対して充分な強度を有しているので、取手部１３を設けるに当り特に端子面１２を補強する部品を設けずとも、充分にディスプレイ装置１が運搬可能となる。取手部１３は、床面と対向する端子面１２に設けられているので、ディスプレイ装置１の良好な外観および省スペース性を確保することができる。【選択図】図２
2006301084.tif 000002
【特許請求の範囲】
【請求項１】
外部の機器と信号の授受を行う接続端子部が設けられた端子面を備えた平面ディスプレイ装置であって、
前記端子面は、床面に略対向する状態に設けられ、
前記端子面の一部に取手部が設けられた
ことを特徴とする平面ディスプレイ装置。
【請求項２】
請求項１に記載の平面ディスプレイ装置において、
前記取手部は、前記端子面における前記接続端子部を挟んだ両端側に設けられた
ことを特徴とする平面ディスプレイ装置。
【請求項３】
請求項１または請求項２に記載の平面ディスプレイ装置において、
前記取手部は、前記床面に略対向する方向へ向けて開口形成された凹型部材であり、前記端子面に取り付けられた
ことを特徴する平面ディスプレイ装置。
【請求項４】
請求項３に記載の平面ディスプレイ装置において、
前記取手部は、ねじにて前記端子面に取り付けられ、
前記取手部における前記ねじが螺合される箇所には、前記ねじの頭を収納するねじ頭収納凹部が設けられた
ことを特徴とする平面ディスプレイ装置。
【請求項５】
請求項３または請求項４に記載の平面ディスプレイ装置において、
前記取手部における前記端子面と当接する面の裏面側に更に凹部が設けられた
ことを特徴とする平面ディスプレイ装置。
【請求項６】
請求項５に記載の平面ディスプレイ装置において、
前記取手部には、前記端子面に当接する面側の前記凹部と対応する部位が前記当接する方向へ向けて突出した凸部が設けられ、
前記端子面には、前記凸部が嵌合する凹状の絞り部が設けられた
ことを特徴とする平面ディスプレイ装置。
【請求項７】
請求項３ないし請求項６のいずれかに記載の平面ディスプレイ装置において、
前記取手部には、開口縁の一部に切欠部が設けられた
ことを特徴とする平面ディスプレイ装置。
【請求項８】
請求項７に記載の平面ディスプレイ装置において、
前記取手部には、前記開口縁に沿って半円状の前記切欠部が複数設けられた
ことを特徴とする平面ディスプレイ装置。
【請求項９】
請求項７に記載の平面ディスプレイ装置において、
前記床面上に略鉛直となる状態に設置され、
前記端子面は、前記床面に当接する底辺部よりも上側に設けられ、
前記取手部は、前記開口縁における前記切欠部以外の部分が前記底辺部に対応する部分まで延出した延出部を備えた
ことを特徴とする平面ディスプレイ装置。
【請求項１０】
請求項１または請求項２に記載の平面ディスプレイ装置において、
前記取手部は、前記端子面の一部に設けられた凹部面である
ことを特徴とする平面ディスプレイ装置。
【発明の詳細な説明】
【技術分野】
【０００１】
本発明は、平面ディスプレイ装置に関する。
【背景技術】
【０００２】
従来、平面ディスプレイ装置として、例えばプラズマディスプレイパネルや液晶表示パネル、有機ＥＬ（Electro Luminescence）パネル、ＦＥＤ（Field Emission Display）、電気泳動ディスプレイパネルなどのディスプレイ部を備えたものがある。
このような平面ディスプレイ装置で、例えば図１に示すような、ディスプレイ部の外側を覆う筐体に運搬用の取手を設けた平面ディスプレイ装置が知られている。ここで、図１は、従来の平面ディスプレイ装置の外観を示す図であり、図１（Ａ）は側面図であり、図１（Ｂ）は背面図である。
【０００３】
図１に示す構成では、ディスプレイ装置１００は、図示しないディスプレイ部と、図示しない回路装置と、筐体１１０とを備えている。
ディスプレイ部は、平面略長方形状のプラズマディスプレイパネルである。このディスプレイ部は、回路装置と各種信号が送受信可能に接続され、回路装置で処理された映像データなどを受信して表示出力する。
回路装置は、ディスプレイ部の図示しない表示面の裏面側中央部に設けられている。この回路装置は、例えばテレビチューナ、ＤＶＤ（Digital Versatile Disc）プレイヤなどの図示しない映像再生機器と各種信号が送受信可能に接続され、映像再生機器からアナログ信号やデジタル信号として送信される映像データなどを処理する。そして、処理した映像データなどをディスプレイ部に送信する。
【０００４】
筐体１１０は、略長尺矩形状のケース体であり、ディスプレイ部および回路装置の外側を覆う。この筐体１１０の前面側には、ディスプレイ部の表示面に対応する部位が開口した図示しない表示窓が設けられている。また、筐体１１０における背面側の長手方向一側縁側には、回路装置および映像再生機器間の信号の授受を行う接続端子部１１２Ａが配設された端子面１１２が設けられている。この端子面１１２は、ディスプレイ装置１００が床面に設置された状態において、当該床面と対向する下向きの状態で設けられている。
また、筐体１１０における背面側の長手方向両端側には、一対の取手部１１１が設けられている。これら取手部１１１は、図１（Ａ）に示すようにそれぞれ略コ字形状に形成され、筐体１１０の外側へ向けて突出する状態で取り付けられている。これにより、利用者がディスプレイ装置１００を運搬する際は、この取手部１１１を把持してディスプレイ装置１００を持ち上げることになる。
【発明の開示】
【発明が解決しようとする課題】
【０００５】
しかしながら、上述したような従来の構成では、運搬用の取手部１１１が筐体１１０の外側へ向けて突出した状態に設けられているため、外観が良くなく、ディスプレイ装置１００の設置スペースを広く要してしまうおそれがある。
また、重量のあるディスプレイ装置１００を運搬するのに耐え得る強度を付与するために、取手部１１１自体や取手部１１１が取り付けられる筐体１１０の背面側を補強するなど構成が複雑となってしまい、これにより製造コストが多く掛かってしまう、などの問題が一例として挙げられる。
【０００６】
本発明は、上述したような問題点に鑑みて、簡易な構成で運搬が可能となる平面ディスプレイ装置を提供することを１つの目的とする。
【課題を解決するための手段】
【０００７】
請求項１に記載の発明は、外部の機器と信号の授受を行う接続端子部が設けられた端子面を備えた平面ディスプレイ装置であって、前記端子面は、床面に略対向する状態に設けられ、前記端子面の一部に取手部が設けられたことを特徴とする平面ディスプレイ装置である。
【発明を実施するための最良の形態】
【０００８】
以下に、本発明の一実施の形態を図面に基づいて説明する。なお、本実施の形態では、平面型のディスプレイ部としてプラズマディスプレイパネルを備えた構成を例示するが、これに限らず、例えば液晶表示パネルや有機ＥＬパネル、ＦＥＤ、電気泳動ディスプレイパネルなどのディスプレイ部を備えたいずれの構成でも適用できる。
【０００９】
〔第１の実施の形態〕
まず、本発明の第１の実施の形態に係るディスプレイ装置について、図２および図３に基づいて説明する。図２は、本発明の第１の実施の形態に係るディスプレイ装置の背面側の外観を示す斜視図である。図３は、ディスプレイ装置の要部を拡大して示した斜視図である。
【００１０】
（ディスプレイ装置の構成）
図２において、１はディスプレイ装置である。このディスプレイ装置１は、後述する表示面が図示されない床面に対して略鉛直となる状態で当該床面上に設置される。そして、ディスプレイ装置１は、図示しないディスプレイ部と、図示しない回路装置と、筐体１０とを備えている。
【００１１】
ディスプレイ部は、平面略長方形状のプラズマディスプレイパネルである。このディスプレイ部は、回路装置と各種信号が送受信可能に接続され、回路装置で処理された映像データを受信して表示出力する。
【００１２】
回路装置は、ディスプレイ部の図示しない表示面の背面側中央部に設けられている。この回路装置は、例えばテレビチューナ、ＤＶＤプレイヤなどの図示しない映像再生機器と各種信号が送受信可能に接続され、映像再生機器からアナログ信号やデジタル信号として送信される映像データを取得する。そして、取得した映像データを適宜処理し、これをディスプレイ部に送信する。
【００１３】
筐体１０は、例えば合成樹脂板や金属板などからなる略長尺矩形状のケース体であり、ディスプレイ部および回路装置の外側を覆う。
この筐体１０の前面側には、ディスプレイ部の表示面に対応する部位が開口した図示しない表示窓が設けられている。
そして、筐体１０における背面側の中央部には、筐体１０の外側へ向けて突出形成され、内部に回路装置を収納する回路装置収納部１１が設けられている。この回路装置収納部１１は、その中央部に表示面と略平行する状態に設けられた略長方形状の平面部１１Ａと、この平面部１１Ａの長手方向両端および長手方向一側縁のそれぞれから筐体１０の長手方向両端側および長手方向一側縁側へ向けてテーパ状に形成されたテーパ面部１１Ｂと、を備えている。
【００１４】
そして、回路装置収納部１１における平面部１１Ａの長手方向他側縁およびこれに隣接するテーパ面部１１Ｂの端部に沿って、表示面と略直交する台形状の端子面１２が設けられている。この端子面１２には、回路装置および映像再生機器間の信号の授受を行う接続端子部１２Ａが配設されている。そして、端子面１２は、接続端子部１２Ａに対して図示しない接続ケーブル端子が頻繁に抜き差しされたとしても、充分に耐え得る程度の高い強度を有した板材料で構成されている。さらに、端子面１２は、ディスプレイ装置１が床面上に設置された状態において、床面と対向する状態に設けられる。
以下、この端子面１２が床面に対向する方向を床面対向方向と称し、この床面対向方向の反対方向すなわち後述する取付面部１３Ａが端子面１２に当接する方向を当接方向と称して、適宜説明する。
【００１５】
そして、端子面１２の両端側、すなわち、台形状の端子面１２における底辺の両端側と両斜辺との間の三角形状の領域には、一対の取手部１３がそれぞれ取り付けられている。この取手部１３は、図３に示すように、例えば、合成樹脂などにて床面対向方向へ向けて開口形成された凹型部材であり、取付面部１３Ａと、第１の側面部１３Ｂと、第２の側面部１３Ｃとを備えている。
【００１６】
取付面部１３Ａは、端子面１２の両端側の形状に対応した略直角三角形状に形成されている。この取付面部１３Ａには、複数のねじ穴１３Ａ１が穿設されており、このねじ穴１３Ａ１を介して図示しないねじが端子面１２の両端側のそれぞれに螺合されることにより、取手部１３が端子面１２の両端側に取り付けられる。
第１の側面部１３Ｂは、取付面部１３Ａの斜辺側端部が床面対向方向に向けて所定寸法だけ延出する状態に形成された部位である。
第２の側面部１３Ｃは、取付面部１３Ａの短辺側端部、すなわち、取付面部１３Ａのうち表示面に略直交する辺側の端部が床面対向方向に向けて延出する状態に形成された部位である。これら第１の側面部１３Ｂおよび第２の側面部１３Ｃの床面対向方向側端部が取手部１３全体における開口縁に相当する。
【００１７】
（ディスプレイ装置の運搬動作）
次に、ディスプレイ装置１の運搬動作について説明する。上記のような構成のディスプレイ装置１を運搬するに当り、一人の利用者は一対の取手部１３のうち一方を片手で把持し、もう一人の利用者が他方の取手部１３を片手で把持してディスプレイ装置１を持ち上げる。具体的には、利用者が取手部１３を把持する際、第１の側面部１３Ｂの内側に手指を挿入して第１の側面部１３Ｂにおける床面対向方向側の端部に手指を引っ掛ける。そして、取手部１３を介してディスプレイ装置１全体を持ち上げて、ディスプレイ装置１を運搬する。
【００１８】
この際、端子面１２においては、利用者が取手部１３を持ち上げる方向と、接続ケーブル端子を接続端子部１２Ａに差し込む方向とが一致しているので、取手部１３を設けるに当り、特に端子面１２を補強する部品を設けずとも、充分にディスプレイ装置１が持ち上がる。また、利用者が取手部１３を持ち上げると端子面１２が持ち上げ応力を受け止めるので、取手部１３に強い負荷がかからない。
【００１９】
（ディスプレイ装置の作用効果）
上述したように、上記実施の形態では、以下に示す作用効果を奏する。
【００２０】
（１）ディスプレイ装置１に、外部の機器と信号の授受を行う接続端子部１２Ａを備えた端子面１２を設けている。また、この端子面１２を、図示しない床面に略対向する状態に設け、この端子面１２の一部に取手部１３を設けている。
このため、ディスプレイ装置１を運搬する際、端子面１２においては、利用者が取手部１３を持ち上げる方向と、接続ケーブル端子を接続端子部１２Ａに差し込む方向とが一致しているので、取手部１３を設けるに当り、特に端子面１２を補強する部品を設けずとも、充分にディスプレイ装置１を持ち上げることができる。また、取手部１３は、床面と対向する端子面１２に設けられているので、目立つことがなく良好な外観を確保できる。そして、取手部１３は、図１に示した従来の取手部１１１のように嵩高い状態で装置の外側へ向けて突出していないので、余分な設置スペースを要しないで済む。
したがって、ディスプレイ装置１を簡易な構成で運搬することが可能となり、かつ、良好な外観および省スペース性を確保することができる。
【００２１】
（２）取手部１３を、端子面１２における接続端子部１２Ａを挟んだ両端側にそれぞれ設けている。
このため、接続端子部１２Ａが設けられない余剰スペースである端子面１２の両端側を有効活用することができる。また、利用者は、平面状のディスプレイ装置１を運搬するに際し、両手でそれぞれの取手部１３をバランス良く把持できる。
【００２２】
（３）取手部１３を、床面対向方向へ向けて開口する凹型部材とし、端子面１２に取り付けている。
このため、取手部１３が床面対向方向へ向けて開口しているので、利用者が取手部１３を把持する際、第１の側面部１３Ｂの内側に手指を挿入して第１の側面部１３Ｂにおける床面対向方向側の端部に手指を引っ掛けることができ、図１に示したような従来のコ字形状の取手部１１１を取り付けずともディスプレイ装置１を持ち上げることができる。また、利用者が取手部１３を持ち上げると端子面１２が持ち上げ応力を受け止めるので、取手部１３に強い負荷がかからず、取手部１３を比較的強度の低い合成樹脂にて形成したとしても取手部１３が破損してしまうことを防ぐことができる。
【００２３】
（４）台形状の端子面１２における底辺の両端側と両斜辺との間の領域に、一対の取手部１３をそれぞれ取り付けている。そして、これら取手部１３における取付面部１３Ａを、端子面１２の両端側の形状に対応した略直角三角形状に形成している。
このため、デッドスペースとなった端子面１２の両端部を有効活用することができる。
【００２４】
〔第２の実施の形態〕
次に、本発明における第２の実施の形態を図４ないし図６に基づいて説明する。
【００２５】
図４は、本発明の第２の実施の形態に係るディスプレイ装置の要部を拡大して示した斜視図である。図５は、取手部を取り外した状態の、ディスプレイ装置の要部を拡大して示した斜視図である。図６は、図４におけるＩ−Ｉ線に沿った取手部の断面図である。この図４ないし図６に示す第２の実施の形態は、図２および図３に示す第１の実施の形態における端子面１２および取手部１３の構成を変えたものである。このため、第１の実施の形態と同一の構成については、同一の符号を付して説明を省略または簡略化する。
【００２６】
（ディスプレイ装置の構成）
【００２７】
取手部１４は、例えば、合成樹脂などにて形成され、図４に示すように、床面対向方向へ向けて開口形成された凹型部材である。この取手部１４は、取付面部１４Ａと、第１の側面部１４Ｂと、第２の側面部１４Ｃとを備えている。
【００２８】
取付面部１４Ａは、端子面１２の両端側の形状に対応した略直角三角形状に形成され、端子面１２に当接される。この取付面部１４Ａには、図４および図６に示すように、更に凹部１４Ａ１が設けられている。この凹部１４Ａ１は、取付面部１４Ａよりも一回り小さな略直角三角形状で、当接方向へ向けて窪んでいる。
そして、取付面部１４Ａにおける端子面１２との当接面側には、凹部１４Ａ１と対応する位置に、当接方向へ向けて突出した凸部１４Ａ２が設けられている。さらに、端子面１２には、凸部１４Ａ２が嵌合する凹状の絞り部１２Ｂが設けられている。
そして、取付面部１４Ａには、当接方向へ向けて穿設された円状の凹部である複数のねじ頭収納凹部１４Ａ３が設けられており、これらねじ頭収納凹部１４Ａ３の中央には、それぞれねじ穴１４Ａ４が穿設されている。また、端子面１２におけるねじ穴１４Ａ４と対応する位置には、複数のねじ穴１２Ｃが設けられている。
このねじ穴１４Ａ４を介して、ねじ１４Ａ５がねじ穴１２Ｃに螺合されることにより、取手部１４が端子面１２の両端側に取り付けられる。そして、ねじ１４Ａ５が螺合された状態において、ねじ１４Ａ５の頭部はねじ頭収納凹部１４Ａ３に収納された状態となっている。
【００２９】
第１の側面部１４Ｂは、取付面部１４Ａの斜辺側端部が床面対向方向に向けて所定寸法だけ突出する状態に形成された部位である。
第２の側面部１４Ｃは、取付面部１３Ａの短辺側端部、すなわち、取付面部１４Ａのうち表示面に略直交する辺側の端部が床面対向方向に向けて突出する状態に形成された部位である。
これら第１の側面部１４Ｂおよび第２の側面部１４Ｃは、図２および図３に示した第１の側面部１３Ｂおよび第２の側面部１３Ｃよりも肉厚（例えば５ｍｍ以上）に形成されている。また、これら第１の側面部１４Ｂおよび第２の側面部１４Ｃにおける床面対向方向側の端部が取手部１４全体における開口縁に相当する。
【００３０】
（ディスプレイ装置の運搬動作）
次に、ディスプレイ装置２の運搬動作について説明する。なお、ディスプレイ装置２の運搬動作のうち、図２および図３に示したディスプレイ装置１と同様の動作については、適宜説明を省略する。
【００３１】
上記のような構成のディスプレイ装置２を利用者が持ち上げる際、第１の側面部１４Ｂの内側に手指を挿入して第１の側面部１４Ｂにおける床面対向方向側の端部に手指を引っ掛ける。
このとき、取付面部１４Ａには凹部１４Ａ１が設けられているので、利用者の手指先は取手部１４のさらに奥側まで挿入される。また、第１の側面部１４Ｂおよび第２の側面部１４Ｃは肉厚に形成されているので、取手部１４を利用者が把持した際に利用者の手指と第１の側面部１４Ｂとの接触面積が大きくなり、利用者の手指に局所的な応力が掛かることがない。
【００３２】
また、取付面部１４Ａにはねじ頭収納凹部１４Ａ３が設けられており、ねじ１４Ａ５が螺合された状態では、ねじ１４Ａ５の頭部はねじ頭収納凹部１４Ａ３に収納された状態となっているので、利用者が取手部１４を把持した際に利用者の手指先がねじ１４Ａ５の頭部にぶつかることがない。
【００３３】
さらに、端子面１２には、取手部１４における凸部１４Ａ２が嵌合する絞り部１２Ｂが設けられているので、ディスプレイ装置２の製造時に絞り部１２Ｂが取手部１４を取り付ける際の位置決めとなる。
また、ディスプレイ装置２を利用者が持ち上げた際に、絞り部１２Ｂに取手部１４の凸部１４Ａ２が嵌合していることで、ねじ１４Ａ５の螺合方向（すなわち当接方向）以外の方向へも取手部１４に掛かる応力が分散される。
【００３４】
（ディスプレイ装置の作用効果）
上述したように、上記実施の形態では、ディスプレイ装置２は、図２および図３に示したディスプレイ装置１が奏する上記（１）〜（４）の作用効果に加え、以下の作用効果を奏する。
【００３５】
（５）取手部１４を、ねじ１４Ａ５にて端子面１２に取り付けている。そして、取手部１４におけるねじ１４Ａ５が螺合される部位には、ねじ１４Ａ５の頭を収納するねじ頭収納凹部１４Ａ３を設けている。
このため、ねじ１４Ａ５が螺合された状態において、ねじ１４Ａ５の頭部はねじ頭収納凹部１４Ａ３に収納された状態となっているので、利用者が取手部１４を把持した際に利用者の手指先がねじ１４Ａ５の頭部にぶつかることを防ぐことができる。
したがって、ディスプレイ装置１の運搬の際に、利用者の手指先がねじ１４Ａ５の頭部に接触することにより怪我してしまうなどの事故を防ぐことができる。
【００３６】
（６）この取付面部１４Ａに、当接方向へ向けて更に凹部１４Ａ１を設けている。
このため、ディスプレイ装置２を利用者が持ち上げる際、利用者の手指先を取手部１４のさらに奥側まで挿入することができる。これにより、第１の側面部１４Ｂにおける床面対向方向側の端部に確実に手指を引っ掛けることができる。したがって、持ち運び易さを向上できる。
【００３７】
（７）取手部１４に、端子面１２に当接する面のうち凹部１４Ａ１と対応する部位が当接方向へ向けて突出した状態で、凸部１４Ａ２を設けている。また、端子面１２に、凸部１４Ａ２が嵌合する凹状の絞り部１２Ｂを設けている。
このため、ディスプレイ装置２の製造時に絞り部１２Ｂが取手部１４を取り付ける際の位置決めとなるので、端子面１２に取手部１４を取付け易くすることができ、製造効率を向上することができる。
また、ディスプレイ装置２を利用者が持ち上げた際に、絞り部１２Ｂに取手部１４の凸部１４Ａ２が嵌合していることで、ねじ１４Ａ５の螺合方向以外の方向へも取手部１４に掛かる応力を分散することができる。これにより、ディスプレイ装置２の運搬時に、ねじ穴１４Ａ４周辺に局所的に応力が集中することを防ぐことができるので、ねじ穴１４Ａ４周辺が破損してしまうことを防止できる。
【００３８】
（８）第１の側面部１４Ｂおよび第２の側面部１４Ｃは肉厚に形成している。
このため、取手部１４を利用者が把持した際に利用者の手指と第１の側面部１４Ｂとの接触面積が大きくなり、利用者の手指に局所的な応力が掛かることを防ぐことができる。
したがって、利用者が重量の大きなディスプレイ装置２を運搬する際に手指に痛みを感じることがないので、ディスプレイ装置２を好適に持ち運ぶことができる。
【００３９】
〔第３の実施の形態〕
次に、本発明における第３の実施の形態を図７に基づいて説明する。
【００４０】
図７は、本発明の第３の実施の形態に係るディスプレイ装置の要部を拡大して示した斜視図である。この図７に示す第３の実施の形態は、図４ないし図６に示す第２の実施の形態における取手部１４の構成を変えたものである。このため、第２の実施の形態と同一の構成については、同一の符号を適宜付して、説明を省略または簡略化する。
【００４１】
（ディスプレイ装置の構成）
取手部１５は、例えば、合成樹脂などにて形成され、図７に示すように、床面対向方向へ向けて開口形成された凹型部材である。この取手部１５は、取付面部１５Ａと、第１の側面部１５Ｂと、第２の側面部１５Ｃとを備えている。
そして、第２の側面部１５Ｃにおける床面対向方向側の端部には、矩形状の切欠部１５Ｃ１が設けられている。第２の側面部１５Ｃには、この切欠部１５Ｃ１の開口側の一端部が他端部へ向けて舌片状に延出した係止部１５Ｃ２が設けられている。
【００４２】
（取手部の作用）
次に、取手部の作用について説明する。
上記のような構成のディスプレイ装置３を床面上に設置し、図示しない各種接続ケーブルを端子面１２における接続端子部１２Ａに差し込む。この状態において、取手部１５は端子面１２に設けられているため、接続端子部１２Ａから延びた接続ケーブルを取手部１５の切欠部１５Ｃ１に挿入し、係止部１５Ｃ２に係止することにより、複数本の接続ケーブルが束ねられる。
【００４３】
（ディスプレイ装置の作用効果）
上述したように、上記実施の形態では、ディスプレイ装置３は、図２および図３に示したディスプレイ装置１が奏する上記（１）〜（４）の作用効果、および、図４ないし図６に示したディスプレイ装置２が奏する上記（５）〜（８）の作用効果に加え、以下の作用効果を奏する。
【００４４】
（９）第２の側面部１５Ｃにおける床面対向方向側の端部に、矩形状の切欠部１５Ｃ１を設けている。また、第２の側面部１５Ｃに、この切欠部１５Ｃ１の開口側の一端部を他端部へ向けて舌片状に延出させた係止部１５Ｃ２を設けている。
このため、図示しない各種接続ケーブルを端子面１２における接続端子部１２Ａに差し込んだ状態において、接続端子部１２Ａから延びた接続ケーブルを取手部１５の切欠部１５Ｃ１に挿入して係止部１５Ｃ２に係止することができる。
これにより、ディスプレイ装置２の周囲に広がる接続ケーブルを束ねることができ、ディスプレイ装置２の周りの外観を良好にすることができるとともに、散在した接続ケーブルを整理することができる。
【００４５】
〔第４の実施の形態〕
次に、本発明における第４の実施の形態を図８に基づいて説明する。
【００４６】
図８は、本発明の第４の実施の形態に係るディスプレイ装置の要部を拡大して示した斜視図である。この図８に示す第４の実施の形態は、図４ないし図６に示す第２の実施の形態における取手部１４の構成を変えたものである。このため、第２の実施の形態と同一の構成については、同一の符号を適宜付して、説明を省略または簡略化する。
【００４７】
（ディスプレイ装置の構成）
取手部１６は、例えば、合成樹脂などにて形成され、図８に示すように、床面対向方向へ向けて開口形成された凹型部材である。この取手部１６は、取付面部１６Ａと、第１の側面部１６Ｂと、第２の側面部１６Ｃとを備えている。
そして、第１の側面部１６Ｂにおける床面対向方向側の端部には、当該端部に沿って４つの半円状の切欠部１６Ｂ１が並列して設けられている。
【００４８】
なお、これら切欠部１６Ｂ１は、それぞれの半円の大きさおよび配設間隔を、利用者が取手部１６を把持した際に切欠部１６Ｂ１が利用者の手指に好適に適合する状態に形成されることが好ましい。
具体的には、例えば、４つの切欠部１６Ｂ１のうち両端側の切欠部１６Ｂ１の半円の径寸法を、当該両端側の切欠部１６Ｂ１間における切欠部１６Ｂ１の半円の径寸法よりも小さく設定する。このようにすれば、切欠部１６Ｂ１の大きさが、一般的に中指および薬指に対して細い指である人差し指および小指に対応する状態となるので、利用者が取手部１６を把持した際に切欠部１６Ｂ１が利用者の手指に好適に適合する。
【００４９】
（ディスプレイ装置の作用効果）
上述したように、上記実施の形態では、ディスプレイ装置４は、図２および図３に示したディスプレイ装置１が奏する上記（１）〜（４）の作用効果、および、図４ないし図６に示したディスプレイ装置２が奏する上記（５）〜（８）の作用効果に加え、以下の作用効果を奏する。
【００５０】
（１０）第１の側面部１６Ｂにおける床面対向方向側の端部に、当該端部に沿って４つの半円状の切欠部１６Ｂ１を並列して設けている。
このため、利用者が取手部１６を把持した際に切欠部１６Ｂ１が利用者の手指に適合するので取手部１６を確実に把持でき、ディスプレイ装置４を運搬し易くすることができる。
また、切欠部１６Ｂ１におけるそれぞれの半円の大きさおよび配設間隔を適宜調節すれば、切欠部１６Ｂ１が利用者の手指に好適に適合することができ、ディスプレイ装置４をより運搬し易くすることができる。
【００５１】
〔第５の実施の形態〕
次に、本発明における第５の実施の形態を図９および図１０に基づいて説明する。
【００５２】
図９は、本発明の第５の実施の形態に係るディスプレイ装置の要部を拡大して示した斜視図である。図１０は、ディスプレイ装置の要部を図９と異なる視点から拡大して示した斜視図である。これら図９および図１０に示す第５の実施の形態は、図４ないし図６に示す第２の実施の形態における取手部１４の構成を変えたものである。このため、第２の実施の形態と同一の構成については、同一の符号を適宜付して、説明を省略または簡略化する。
【００５３】
（ディスプレイ装置の構成）
【００５４】
上述のように、筐体１０における背面側の中央部には、回路装置収納部１１が設けられている。そして、端子面１２は、この回路装置収納部１１の床面対向方向側の一端面に設けられているので、ディスプレイ装置５を床面上に設置した際に床面に当接される筐体１０の底辺部１８よりも、鉛直方向上側、すなわち当接方向側に位置している。
【００５５】
取手部１７は、例えば、合成樹脂などにて形成され、図９および図１０に示すように、床面対向方向へ向けて開口形成された凹型部材である。この取手部１７は、取付面部１７Ａと、第１の側面部１７Ｂと、第２の側面部１７Ｃとを備えている。
第１の側面部１７Ｂには、その床面対向方向側の端部の中央に略長方形状の切欠部１７Ｂ１が形成されている。また、第１の側面部１７Ｂには、その床面対向方向側の端部のうち切欠部１７Ｂ１以外の部分が、筐体１０の底辺部１８に対応する部分まで床面対向方向に沿って延出して、延出部１７Ｂ２が形成されている。
同様に、第２の側面部１７Ｃにも、その床面対向方向側の端部が、筐体１０の底辺部１８に対応する部分まで床面対向方向に沿って延出して、延出部１７Ｃ１が形成されている。また、この延出部１７Ｃ１は、第１の側面部１７Ｂにおける延出部１７Ｂ２の一端側と一連に設けられており、延出部１７Ｃ１と当該延出部１７Ｂ２の一端側とで断面Ｌ字形状の一連の部位が構成されている。
【００５６】
（ディスプレイ装置の設置動作および運搬動作）
次に、ディスプレイ装置５の設置動作および運搬動作について説明する。なお、ディスプレイ装置５の各動作のうち、図４ないし図６に示したディスプレイ装置２と同様の動作については、適宜説明を省略する。
【００５７】
上記のような構成のディスプレイ装置５を床面上に設置した場合、延出部１７Ｂ２および延出部１７Ｃ１が筐体１０の底辺部１８に対応する部分まで延出して設けられているので、延出部１７Ｂ２および延出部１７Ｃ１の先端が床面に当接し、取手部１７がディスプレイ装置５を支える支柱として機能することになる。すなわち、端子面１２の両端側に設けられた一対の取手部１７と、ディスプレイ装置５の底辺部１８との３支点で、ディスプレイ装置５を支える状態となる。
また、延出部１７Ｃ１と延出部１７Ｂ２の一端側とで断面Ｌ字形状の一連の部位が構成されているので、表示面に垂直な方向からの外力に対して大きな抗力を発揮する。
【００５８】
そして、このようなディスプレイ装置５を運搬する際には、第１の側面部１３Ｂにおける切欠部１７Ｂ１の内側に手指を挿入して切欠部１７Ｂ１における床面対向方向側の端部に手指を引っ掛ける。そして、取手部１３を介してディスプレイ装置１全体を持ち上げて、ディスプレイ装置５を運搬する。
【００５９】
（ディスプレイ装置の作用効果）
上述したように、上記実施の形態では、ディスプレイ装置５は、図２および図３に示したディスプレイ装置１が奏する上記（１）〜（４）の作用効果、および、図４ないし図６に示したディスプレイ装置２が奏する上記（５）〜（８）の作用効果に加え、以下の作用効果を奏する。
【００６０】
（１１）第１の側面部１７Ｂにおける床面対向方向側の端部の中央に、略長方形状の切欠部１７Ｂ１を設けている。また、第１の側面部１７Ｂに、その床面対向方向側の端部のうち切欠部１７Ｂ１以外の部分を、筐体１０の底辺部１８に対応する部分まで床面対向方向に沿って延出させて、延出部１７Ｂ２を形成している。また、第２の側面部１７Ｃにも、その床面対向方向側の端部を、筐体１０の底辺部１８に対応する部分まで床面対向方向に沿って延出して、延出部１７Ｃ１を形成している。
このため、ディスプレイ装置５を床面上に設置した場合、端子面１２の両端側に設けられた一対の取手部１７と、ディスプレイ装置５の底辺部１８との３支点で、ディスプレイ装置５を支えることができる。また、ディスプレイ装置５を運搬する際には、第１の側面部１３Ｂにおける切欠部１７Ｂ１の内側に手指を挿入して切欠部１７Ｂ１における床面対向方向側の端部に手指を引っ掛けて、ディスプレイ装置５を運搬することができる。
したがって、取手部１７はディスプレイ装置５を運搬する際に機能するだけでなく、ディスプレイ装置５を床面上に立設する際のスタンドとしても利用できる。
【００６１】
（１２）延出部１７Ｃ１と延出部１７Ｂ２の一端側とで断面Ｌ字形状の一連の部位を構成している。
このため、表示面に垂直な方向に働く外力に対して大きな抗力を発揮するので、ディスプレイ装置５を床面上に設置し、ディスプレイ装置５を一対の取手部１７と底辺部１８との３支点で支えた場合、取手部１７が変形してディスプレイ装置５が倒れてしまうことを防ぐことができる。
したがって、ディスプレイ装置５の安定した立設性を確保することができる。
【００６２】
〔実施の形態の変形〕
なお、本発明は上述した実施の形態に限定されるものではなく、本発明の目的を達成できる範囲で以下に示される変形をも含むものである。
【００６３】
すなわち、前記第１ないし第５の実施の形態では、取手部１３〜取手部１７が端子面１２の両端側に一対で設けられる構成を例示したが、これに限らない。
すなわち、例えば、端子面１２の中央部に取手部を１つ設け、利用者が片手で取手部を把持し、他方の片手でディスプレイ装置の一端部を把持することによりディスプレイ装置２を運搬可能とする構成などとしてもよい。
このような構成の場合、取手部を取り付ける箇所が一箇所で済むので、製造コストを安価に抑えることができる。
【００６４】
前記第１ないし第５の実施の形態では、取手部１３〜取手部１７は端子面１２に取り付けられる構成としたがこれに限らず、取手部が端子面１２と同一材料にて一体的に形成される構成としてもよい。
【００６５】
前記第１ないし第５の実施の形態では、取手部１３〜取手部１７は端子面１２に取り付けられる構成としたがこれに限らず、取手部１３〜取手部１７を取り外した状態で、図５に示す絞り部１２Ｂを本発明における取手部として扱う構成としてもよい。
このような場合、上記（１）、（２）および（４）の作用効果を奏すると共に、取手部を製造する必要がないので、ディスプレイ装置を安価に仕上げることができる。
【００６６】
前記第１ないし第５の実施の形態では、取手部１３〜取手部１７の色彩について言及しなかったが、取手部１３〜取手部１７を蛍光色などの特異な色で染色する構成としてもよい。このような構成では、取手部１３〜取手部１７の位置を示す表示ラベルなどを筐体１０の背面側に表示せずとも、利用者に取手部１３〜取手部１７の存在を理解させることができる。
【００６７】
〔実施の形態の作用効果〕
上述したように、上記実施の形態では、ディスプレイ装置１に、外部の機器と信号の授受を行う接続端子部１２Ａを備えた端子面１２を設けている。また、この端子面１２を、図示しない床面に略対向する状態に設け、この端子面１２の一部に取手部１３を設けている。
このため、ディスプレイ装置１を運搬する際、端子面１２においては、利用者が取手部１３を持ち上げる方向と、端子面１２が有した図示しない接続ケーブル端子を接続端子部１２Ａに差し込む際にかかる応力に対向する強度の方向と、が一致しているので、取手部１３を設けるに当り特に端子面１２を補強する部品を設けずとも、充分にディスプレイ装置１を持ち上げることができる。また、取手部１３は、床面と対向する端子面１２に設けられているので、目立つことがなく良好な外観を確保でき、かつ、従来のように余分な設置スペースを要しないで済む。
したがって、ディスプレイ装置１を簡易な構成で運搬することが可能となり、かつ、良好な外観および省スペース性を確保することができる。
【図面の簡単な説明】
【００６８】
【図１】従来の平面ディスプレイ装置の外観を示す図であり、図１（Ａ）は側面図であり、図１（Ｂ）は背面図である。
【図２】本発明の第１の実施の形態に係るディスプレイ装置の背面側の外観を示す斜視図である。
【図３】前記実施の形態におけるディスプレイ装置の要部を拡大して示した斜視図である。
【図４】本発明の第２の実施の形態に係るディスプレイ装置の要部を拡大して示した斜視図である。
【図５】前記実施の形態における取手部を取り外した状態の、ディスプレイ装置の要部を拡大して示した斜視図である。
【図６】図４におけるＩ−Ｉ線に沿った取手部の断面図である。
【図７】本発明の第３の実施の形態に係るディスプレイ装置の要部を拡大して示した斜視図である。
【図８】本発明の第４の実施の形態に係るディスプレイ装置の要部を拡大して示した斜視図である。
【図９】本発明の第５の実施の形態に係るディスプレイ装置の要部を拡大して示した斜視図である。
【図１０】前記実施の形態におけるディスプレイ装置の要部を図９と異なる視点にて拡大して示した斜視図である。
【符号の説明】
【００６９】
１−５ ディスプレイ装置（平面ディスプレイ装置）
１２   端子面
１２Ａ 接続端子部
１２Ｂ 絞り部
１３−１７    取手部
１３Ａ−１７Ａ       取付面部（取手部における端子面と当接する面）
１３Ｂ−１７Ｂ       第１の側面部（取手部の開口縁）
１３Ｃ−１７Ｃ       第２の側面部（取手部の開口縁）
１４Ａ１      凹部
１４Ａ２      凸部
１４Ａ３      ねじ頭収納凹部
１４Ａ５      ねじ
１５Ｃ１，１６Ｂ１，１７Ｂ１       切欠部
１７Ｂ２，１７Ｃ１   延出部
１８   底辺部
【図１】
2006301084.tif 000003
【図２】
2006301084.tif 000004
【図３】
2006301084.tif 000005
【図４】
2006301084.tif 000006
【図５】
2006301084.tif 000007
【図６】
2006301084.tif 000008
【図７】
2006301084.tif 000009
【図８】
2006301084.tif 000010
【図９】
2006301084.tif 000011
【図１０】
2006301084.tif 000012